(57)【要約】【課題】  スポット測光或いは部分測光を行う際、撮影画面内における主被写体の大きさがスポット測光エリアＥｓに対して充分な大きさである場合は主被写体部分のみの輝度情報を正確に得ることが可能であるが、主被写体の大きさが小さいとスポット測光エリアＥｓにも背景が入ってきてしまい、正確な被写体輝度を得るのが難しい場合があった。【解決手段】  測光エリア内全域、又は一部の測光エリアの出力値と測光エリア毎を比較して所定値以上の偏差がみられる場合は、測光値を再演算することにより最適な被写体輝度を得ることを可能にする。【選択図】  図６
2006119454.tif 000002
【特許請求の範囲】
【請求項１】
撮像画面内を複数のエリアに分割するエリア分割手段と、
前記分割された複数のエリアから測光対象にする為の複数のエリアを選択する測光エリア選択手段と、
前記測光エリア選択手段により選択された複数の測光エリアの出力から参照値を設定する為の参照値設定手段と、
前記選択された複数の測光エリアの測光値を演算する第１の測光演算手段と、
前記参照値と前記選択された複数の測光エリアの出力値の比較結果に応じて、被写体輝度を求めるための前記第１の測光演算手段とは異なる測光演算を行う第２の測光演算手段と、
を備えることを特徴とした撮像装置。
【請求項２】
前記第２の測光演算手段は、前記参照値と前記選択された複数の測光エリアの出力値を比較して所定値を越える偏差がある場合は、被写体輝度を求めるための前記第１の測光演算手段とは異なる測光演算を行うことを特徴とする請求項１に記載の撮像装置。
【請求項３】
撮像画面内を複数のエリアに分割するエリア分割手段と、
前記分割された複数のエリアのから測光対象にする為の複数のエリアを選択する測光エリア選択手段と、
前記測光エリア選択手段により選択された複数の測光エリアの出力から参照値を設定する為の参照値設定手段と、
前記選択された複数の測光エリアの測光値を演算する第１の測光値演算手段と、
前記参照値、前記選択された複数の測光エリアの出力値、及び、前記選択されたエリア以外の測光エリアの出力値の比較結果に応じて、被写体輝度を求めるための前記第１の測光演算手段とは異なる測光演算を行う第２の測光演算手段と、
を備えることを特徴とした撮像装置。
【請求項４】
前記第２の測光演算手段は、前記参照値と前記複数の測光エリアの出力値との偏差が第１の所定値以上で、かつ第１の所定値以上の偏差がみられた測光エリアの出力値と、前記選択された複数の測光エリア外にあり、前記第１の所定値以上の偏差がみられた測光エリアに隣接する測光エリアの出力値との偏差が第２の所定値以内である場合は、被写体輝度を求めるための前記第１の測光演算手段とは異なる測光演算を行うことを特徴とする請求項３に記載の撮像装置。
【請求項５】
前記第２の測光演算手段は、前記参照値と前記複数の測光エリアの出力値の偏差が所定値を越える測光エリアを排除して測光値を演算することを特徴とする請求項１から４のいずれかに記載の撮像装置。
【請求項６】
前記第２の測光演算手段は、前記参照値と前記複数の測光エリアの出力値の偏差に応じて重み付けを変更して測光値を演算することを特徴とする請求項１から４に記載の撮像装置。
【請求項７】
前記参照値は、前記選択された複数の測光エリアの出力値の平均値であることを特徴とする請求項１から６のいずれかに記載の撮像装置。
【請求項８】
前記参照値は、前記選択された複数の測光エリアの中央のエリアの出力値であることを特徴とする請求項１から６のいずれかに記載の撮像装置。
【請求項９】
前記測光エリア選択手段は、予め定められた所定の複数の測光エリアを選択することを特徴とする請求項１から４のいずれかに記載の撮像装置。
【請求項１０】
前記第２の演算手段は、撮像画面内の複数のエリア内の出力値のみを用いて被写体輝度を求めるための演算を行うことを特徴とする請求項１から４のいずれかに記載の撮像装置。
【請求項１１】
撮像画面内を複数のエリアに分割するエリア分割行程と、
前記分割された複数のエリアから測光対象にする為の複数のエリアを選択する測光エリア選択行程と、
前記測光エリア選択行程により選択された複数の測光エリアの出力から参照値を設定する為の参照値設定行程と、
前記選択された複数の測光エリアの測光値を演算する第１の測光演算行程と、
前記参照値と前記選択された複数の測光エリアの出力値の比較結果に応じて、被写体輝度を求めるための前記第１の測光演算行程とは異なる測光演算を行う第２の測光演算行程と、
を備えることを特徴とした撮像装置の制御方法。
【請求項１２】
撮像画面内を複数のエリアに分割するエリア分割行程と、
前記分割された複数のエリアのから測光対象にする為の複数のエリアを選択する測光エリア選択行程と、
前記測光エリア選択行程により選択された複数の測光エリアの出力から参照値を設定する為の参照値設定行程と、
前記選択された複数の測光エリアの測光値を演算する第１の測光値演算行程と、
前記参照値、前記選択された複数の測光エリアの出力値、及び、前記選択されたエリア以外の測光エリアの出力値の比較結果に応じて、被写体輝度を求めるための前記第１の測光演算行程とは異なる測光演算を行う第２の測光演算行程と、
を備えることを特徴とした撮像装置の制御方法。
【発明の詳細な説明】
【技術分野】
【０００１】
本発明はカメラ、デジタルスチルカメラ、及びデジタルビデオカメラ等において被写体の輝度情報を得るための測光方法に関するもので、特にスポット測光或いは部分測光と呼ばれる被写体のごく狭いエリアの輝度情報を得るために使われる測光方法に関するものである。
【背景技術】
【０００２】
カメラ、デジタルスチルカメラ、及びデジタルビデオカメラ等において露出制御のために被写体の輝度情報を得るための測光装置を搭載するのは周知の技術である。カメラに搭載される測光装置においては各種の測光方式或いは測光モードと呼ぶものが存在する。
【０００３】
例として撮影画面全体の平均的な輝度情報を算出する平均測光、撮影画面のうち約１０％程度の限定されたエリアのみの輝度情報を算出する部分測光、撮影画面のうち数％程度のごく限定されたエリアのみの輝度情報を算出するスポット測光、或いは撮影画面内を複数のエリアに分割し、分割したエリアの輝度情報から自動的に逆光補正などを行う多分割測光などが挙げられる。
【０００４】
また、多分割測光とスポット測光とを切り替え可能なデジタルカメラが提案されている（特許文献１参照）。
【特許文献１】特開２００１−２９８６６０号公報
【発明の開示】
【発明が解決しようとする課題】
【０００５】
図１２に示すＥｓはスポット測光の測光エリアの一例である。四角い枠は撮影画面全体を表しており、撮影画面の中心に位置する円のエリアのみから測光値を得る。従来のスポット測光或いは部分測光では撮影画面に対する測光エリアは固定されている。スポット測光或いは部分測光は、例えば逆光シーン等の主被写体と背景の輝度差が大きい状況で、主被写体部分のみの輝度情報を得たい場合に有効な測光モードであり、撮影画面内における主被写体の大きさがスポット測光エリアＥｓに対して充分な大きさである場合は主被写体部分のみの輝度情報を正確に得ることが可能であるが、主被写体の大きさが小さいとスポット測光エリアＥｓにも背景が入ってきてしまい、正確な被写体輝度を得るのが難しい場合があった。逆に測光エリア内に背景が入らないようにするために、スポット測光エリアを小さくすると、被写体がスポット測光エリアに対して相対的に大きくなり、スポット測光エリアに入りきらずに正確な被写体輝度を得ることができないという場合があった。
【課題を解決するための手段】
【０００６】
上記課題を解決し、目的を達成するために、本発明の撮像装置は、撮像画面内を複数のエリアに分割するエリア分割手段と、前記分割された複数のエリアから測光対象にする為の複数のエリアを選択する測光エリア選択手段と、前記測光エリア選択手段により選択された複数の測光エリアの出力から参照値を設定する為の参照値設定手段と、前記選択された複数の測光エリアの測光値を演算する第１の測光演算手段と、前記参照値と前記選択された複数の測光エリアの出力値の比較結果に応じて、被写体輝度を求めるための前記第１の測光演算手段とは異なる測光演算を行う第２の測光演算手段と、を備えることを特徴とした撮像装置。
【０００７】
また、上記課題を解決し、目的を達成するために、本発明の撮像装置は、撮像画面内を複数のエリアに分割するエリア分割手段と、前記分割された複数のエリアのから測光対象にする為の複数のエリアを選択する測光エリア選択手段と、前記測光エリア選択手段により選択された複数の測光エリアの出力から参照値を設定する為の参照値設定手段と、前記選択された複数の測光エリアの測光値を演算する第１の測光値演算手段と、前記参照値、前記選択された複数の測光エリアの出力値、及び、前記選択されたエリア以外の測光エリアの出力値の比較結果に応じて、被写体輝度を求めるための前記第１の測光演算手段とは異なる測光演算を行う第２の測光演算手段と、を備えることを特徴とした撮像装置。
【０００８】
また、上記課題を解決し、目的を達成するために、本発明の撮像装置の制御方法は、撮像画面内を複数のエリアに分割するエリア分割行程と、前記分割された複数のエリアから測光対象にする為の複数のエリアを選択する測光エリア選択行程と、前記測光エリア選択行程により選択された複数の測光エリアの出力から参照値を設定する為の参照値設定行程と、前記選択された複数の測光エリアの測光値を演算する第１の測光演算行程と、前記参照値と前記選択された複数の測光エリアの出力値の比較結果に応じて、被写体輝度を求めるための前記第１の測光演算行程とは異なる測光演算を行う第２の測光演算行程と、を備えることを特徴とした撮像装置の制御方法。
【０００９】
また、上記課題を解決し、目的を達成するために、本発明の撮像装置の制御方法は、撮像画面内を複数のエリアに分割するエリア分割行程と、前記分割された複数のエリアのから測光対象にする為の複数のエリアを選択する測光エリア選択行程と、前記測光エリア選択行程により選択された複数の測光エリアの出力から参照値を設定する為の参照値設定行程と、前記選択された複数の測光エリアの測光値を演算する第１の測光値演算行程と、前記参照値、前記選択された複数の測光エリアの出力値、及び、前記選択されたエリア以外の測光エリアの出力値の比較結果に応じて、被写体輝度を求めるための前記第１の測光演算行程とは異なる測光演算を行う第２の測光演算行程と、を備えることを特徴とした撮像装置の制御方法。
【発明の効果】
【００１０】
本発明によれば、測光エリア内の出力値と比較して所定値以上の偏差がみられる測光エリアの測光値を再演算することにより最適な被写体輝度を得ることを可能にしている。
【発明を実施するための最良の形態】
【００１１】
以下、添付図面を参照して本発明を実施するための最良の形態を詳細に説明する。
【００１２】
（第１の実施形態）
本実施形態の撮像装置における主として、光学部材の配置を断面図として表したものを図１に示す。本実施例におけるその他の図に関しても、図１と共通する構成には、図１と同じ符号が付されている。
【００１３】
本図においてはレンズ交換可能ないわゆる一眼レフタイプのカメラの構成を示しているが、本発明は、一眼レフタイプのカメラのみに限定して適応されるものではない。
【００１４】
同図において、１は撮像装置であるカメラ本体、２は交換レンズ、３はフラッシュ装置である。カメラ本体１において１０はメカニカルシャッター、１１はロウパスフィルター、１２はＣＭＯＳやＣＣＤ等のような光電変換機能を有する撮像素子、１３は半透過性の主ミラー、１４は第１の反射ミラーで主ミラー１３と第１の反射ミラー１４はともに撮影時には上部に跳ね上がる。１５は第１の反射ミラー１４による撮像素子１２の面と共役な近軸的結像面、１６は第２の反射ミラー、１７は赤外カットフィルター、１８は２つの開口部を有する絞り、１９は２次結像レンズ、２０は焦点検出用センサーである。焦点検出用センサー２０は、図２に示すように絞り１８の２つの開口部に対応して多数分割された受光センサー部が２０Ａと２０Ｂとの２対のエリアの構成になっている。また、受光センサー部２０Ａと２０Ｂに加えて、信号蓄積部や信号処理用の周辺回路などが同一チップ上に集積回路として作り込まれる。第１の反射ミラー１４から焦点検出用センサー２０までの構成は撮影画面内の任意の位置での像ずれ方式での焦点検出を可能とするものである。
【００１５】
２１は拡散性を有するピント板、２２はペンタプリズム、２３は接眼レンズ、２４は第３の反射ミラー、２５は集光レンズ、２６は被写体の輝度に関する情報を得るための測光用センサーである。測光用センサー２６は光電変換受光部及びその信号処理回路によって構成される半導体集積回路である。測光用センサー２６の光電変換受光部は図３に例示するように多数に分割しており、本実施形態では撮影画面の略全体を視野としている。図示したように本実施例においては、受光視野内を２１列×１１行＝２３１分割として画面内の輝度情報を得ることができる。２３１分割された各受光部に対応した撮影画面内のエリアを図４に示すようにＡ０１〜Ｋ２１と呼ぶこととする。
【００１６】
なお、本実施例では受光視野内を２３１分割にしたが、例示される分割エリアの寸法、形状、それらの相対配置などは、本発明が適用される装置の構成や各種条件により適宜変更されるべきものであり、本発明がそれらの例示に限定されるものではない。受光センサー部以外に信号増幅部や信号処理用の周辺回路などが同一チップ上に集積回路として作り込まれることは周知である。
【００１７】
ピント板２１、ペンタプリズム２２、接眼レンズ２３によってファインダー光学系が構成される。測光用センサー２６には主ミラー１３によって反射されてピント板２１によって拡散された光線のうち光軸外の一部が入射する。
【００１８】
２７は撮影レンズを取り付けるマウント部、２８は撮影レンズと情報通信を行うための接点部，２９はフラッシュ装置を取り付けられる接続部である。交換レンズ２において３０ａ〜３０ｅは撮影レンズを構成する各光学レンズ，３１は絞り、３２はカメラ本体と情報通信を行うための接点部、３３はカメラに取り付けられるためのマウント部である。
【００１９】
フラッシュ装置３において３４はキセノン管、３５は反射笠、３６はフレネル板、３７はキセノン管３４の発光量をモニターするためのモニターセンサー、３８はカメラ本体１にフラッシュ装置３を取り付けるための取り付け部である。
【００２０】
図５は本発明を実施したカメラ本体１とその交換レンズ２及びフラッシュ装置３の電気回路の構成例を表わすブロック図である。カメラ本体１において４１は例えば内部にＡＬＵ、ＲＯＭ、ＲＡＭやＡ／Ｄコンバータ、タイマー、シリアル通信ポート（ＳＰＩ）等を内蔵したワンチップマイクロコンピュータによる制御回路でありカメラ機構等の全体制御を行う。制御回路４１の具体的な制御シーケンスについては後述する。焦点検出用センサー２０及び測光用センサー２６は図１に記載したものと同一である。焦点検出用センサー２０及び測光用センサー２６の出力信号は、制御回路４１のＡ／Ｄコンバータ入力端子に接続される。
【００２１】
４２はシャッター駆動回路であり制御回路４１の出力端子に接続されて図１記載のメカニカルシャッター１０を駆動する。４３は信号処理回路であり、制御回路４１の指示に従って撮像素子１２を制御して撮像素子１２が出力する撮像信号をＡ／Ｄ変換したものを入力信号として信号処理を行い、画像信号を得る。また、得られた画像信号に対して必要な画像処理を行う。
【００２２】
４４はフラッシュＲＯＭ等の不揮発性メモリ又は光ディスク等による記憶媒体であり、撮像された画像信号を記憶する。４５は主ミラー１３及び第１の反射ミラー１４のアップ・ダウンを行うための第１のモーターである。４６は第１のモータードライバであり、制御回路４１の出力端子に接続されて制御されて第１のモーター４５を駆動する。４７は液晶パネル等で構成されて撮影枚数や日付情報、露出情報等を表示する表示器であり、やはり制御回路４１の出力信号に応じて各セグメントが点灯制御される。４８はホワイトバランスのモード設定等を行うためのホワイトバランス設定回路、４９は撮影モード設定回路、５０はレリーズスイッチである。２８は図１に記載した接点部であり、制御回路４１のシリアル通信ポートの入出力信号が接続される。２９は図１に記載したフラッシュ装置接続部であり、フラッシュ装置３と通信が可能なようにやはり制御回路４１のシリアル通信ポートの入出力信号が接続される。
【００２３】
交換レンズ２において５１は例えば内部にＡＬＵ、ＲＯＭ、ＲＡＭやタイマー、シリアル通信ポート（ＳＰＩ）等を内蔵したワンチップマイクロコンピュータによるレンズ制御回路である。５２は焦点調節を行うための第２のモーターである。５３は第２のモータードライバでありレンズ制御回路５１の出力端子に接続されて制御され、第２のモーター５２を駆動する。５４は図１にて記載した絞り３１の制御を行うための第３のモーターである。５５は第３のモータードライバでありレンズ制御回路５１の出力端子に接続されて制御され、第３のモーター５４を駆動する。５６は焦点調節レンズの繰り出し量すなわち被写体距離に関する情報を得るための距離エンコーダーであり、レンズ制御回路５１の入力端子に接続される。
【００２４】
５７は交換レンズ３０がズームレンズである場合に撮影時の焦点距離情報を得るためのズームエンコーダーであり、レンズ回路５１の入力端子に接続される。３２は図１に記載した接点部であり、レンズ制御回路５１のシリアル通信ポートの入出力信号が接続される。
【００２５】
交換レンズ２がカメラ本体１に装着されるとそれぞれの接点部２８と３２とが接続されてレンズ制御回路５１はカメラ本体１の制御回路４１とのデータ通信が可能となる。カメラ本体の制御回路４１が焦点検出や露出演算を行うために必要なレンズ固有の光学的な情報や、距離エンコーダー５６或いはズームエンコーダー５７に基づいた被写体距離に関する情報或いは焦点距離情報はレンズ制御回路５１からカメラ本体の制御回路４１へとデータ通信によって出力される。また、カメラ本体の制御回路４１が焦点検出や露出演算を行った結果求められた焦点調節情報や絞り情報はカメラ本体の制御回路４１からレンズ制御回路５１へとデータ通信によって出力されて、レンズ制御回路５１は焦点調節情報に従って第２のモータードライバ５３を制御し、絞り情報に従って第３のモータードライバ５５を制御する。
【００２６】
フラッシュ装置３において６１は例えば内部にＡＬＵ、ＲＯＭ、ＲＡＭやＡ／Ｄコンバータ、タイマー、シリアル通信ポート（ＳＰＩ）等を内蔵したワンチップマイクロコンピュータによるフラッシュ制御回路であり、６２はキセノン管３４の発光に必要な３００Ｖ程度の高圧電圧を作る昇圧部、キセノン管３４及びモニターセンサー３７は図１に記載したものと同一である。フラッシュ装置３がカメラ本体１に装着されるとそれぞれの接続部３８と２９が接続されてフラッシュ制御回路６１はカメラ本体１の制御回路４１とのデータ通信が可能となる。フラッシュ制御回路６１はカメラ本体１の制御回路４１からの通信内容に従って昇圧部６２を制御してキセノン管３４の発光開始や発光停止を行うとともに、モニターセンサー３７の検出量をカメラ本体の制御回路４１に対して出力する。
【００２７】
続いて、カメラ本体の制御回路４１の本発明に関わるスポット測光データを取得するための演算フローについて図６のフローチャートを用いて具体的に説明する。尚、測光データ演算以外のカメラ動作については本発明とは特に関係ないので詳しい動作説明は省略する。
【００２８】
制御回路４１が動作可能となり、スポット測光データを取得するシーケンスに入った場合に図６のステップＳ１０１から実行する。
【００２９】
ステップＳ１０１にて、制御回路４１が測光用センサー２６に対して制御信号を出力して、信号蓄積を行わせる。
【００３０】
ステップＳ１０１にて信号の蓄積が終了するとステップＳ１０２では、制御回路４１が測光用センサー２６に蓄積された２３１分割各部の信号を読み出しながらＡ／Ｄ変換を行い、順次ＲＡＭに格納する。
【００３１】
ステップＳ１０３では、制御回路４１は正しい測光情報を得るために必要なレンズ情報をレンズ制御回路５１より受信して、ＲＡＭに格納された各部の信号に対して入力されたレンズ情報に基づく補正演算を行い、２３１分割された各受光部の被写体輝度情報を得る。
【００３２】
なお、補正演算を行った後の各エリアの被写体輝度データを次のように呼ぶこととする。エリアＡ０１に対応する被写体輝度データをＹ（Ａ０１）、エリアＡ０２に対応する被写体輝度データをＹ（Ａ０２）、以下同様にエリアＫ２１に対応する被写体輝度データをＹ（Ｋ２１）である。
【００３３】
ステップＳ１０４では制御回路４１はスポット測光エリアの単純平均値を算出する。本実施形態においては図７に示すように、２３１分割された画面のうちスポット測光エリアを、Ｅ１０、Ｅ１１、Ｅ１２、Ｆ１０、Ｆ１１、Ｆ１２、Ｇ１０、Ｇ１１、Ｇ１２の９エリアが占めるエリアとすることで画面全体の数％程度の狭いエリアの測光データを取得するものとする。ここではまずＥ１０、Ｅ１１、Ｅ１２、Ｆ１０、Ｆ１１、Ｆ１２、Ｇ１０、Ｇ１１、Ｇ１２の各エリアの被写体輝度情報の単純な平均値Ｙｍを求める。
Ｙｍ＝（Ｙ（Ｅ１０）＋Ｙ（Ｅ１１）＋Ｙ（Ｅ１２）＋Ｙ（Ｆ１０）＋Ｙ（Ｆ１１）＋Ｙ（Ｆ１２）＋Ｙ（Ｇ１０）＋Ｙ（Ｇ１１）＋Ｙ（Ｇ１２））÷９
【００３４】
ステップＳ１０５では、制御回路４１はスポット測光エリア各部の被写体輝度データとステップＳ１０４で算出した平均値Ｙｍとの偏差を算出する。
△Ｙ（Ｅ１０）＝Ｙ（Ｅ１０）−Ｙｍ
△Ｙ（Ｅ１１）＝Ｙ（Ｅ１１）−Ｙｍ
△Ｙ（Ｅ１２）＝Ｙ（Ｅ１２）−Ｙｍ
△Ｙ（Ｆ１０）＝Ｙ（Ｆ１０）−Ｙｍ
△Ｙ（Ｆ１１）＝Ｙ（Ｆ１１）−Ｙｍ
△Ｙ（Ｆ１２）＝Ｙ（Ｆ１２）−Ｙｍ
△Ｙ（Ｇ１０）＝Ｙ（Ｇ１０）−Ｙｍ
△Ｙ（Ｇ１１）＝Ｙ（Ｇ１１）−Ｙｍ
△Ｙ（Ｇ１２）＝Ｙ（Ｇ１２）−Ｙｍ
【００３５】
ステップＳ１０６では、制御回路４１はステップＳ１０５で算出された偏差△Ｙ（Ｅ１０）、△Ｙ（Ｅ１１）、△Ｙ（Ｅ１２）、△Ｙ（Ｆ１０）、△Ｙ（Ｆ１１）、△Ｙ（Ｆ１２）、△Ｙ（Ｇ１０）、△Ｙ（Ｇ１１）、△Ｙ（Ｇ１２）の中に絶対値が所定値を越えるものがあるかどうかを判定する。
【００３６】
所定値を越えるものがなければステップＳ１０７へ進み、スポット測光エリア各部の被写体輝度データの単純平均値Ｙｍをスポット測光データとする。
【００３７】
所定値を越えるものがある場合はステップＳ１０８へ進み、制御回路４１は偏差が大きいエリアを排除した状態でスポット測光データを演算しなおす処理をする。例えば図８に示すような、人物部分が暗く、背景部分が明るい逆光シーンであるとする。この場合、スポット測光エリアのうちＥ１０とＥ１２とは背景の明るい部分をも含めた測光データになっており人物部分のみを測光している他のスポット測光エリアのデータよりもかなり大きな値を示し所定値を越える。よってこれらのエリアを除いたエリアの平均値Ｙｍｓを演算してＹｍｓをこのシーンにおけるスポット測光データとする。
Ｙｍｓ＝（Ｙ（Ｅ１１）＋Ｙ（Ｆ１０）＋Ｙ（Ｆ１１）＋Ｙ（Ｆ１２）＋Ｙ（Ｇ１０）＋Ｙ（Ｇ１１）＋Ｙ（Ｇ１２））÷７
【００３８】
なお、シーンにより偏差が所定値を越えるエリアは変化するので必ずしも上式が適用されるとは限らない。所定値を越えるエリアであっても中央のＹ（Ｆ１１）に関しては排除するのは不自然なので排除しない。また排除するエリア数があまり多いと画面の数％というスポット測光エリアとして不自然になる場合もあるので排除するエリアは最大３エリアまでという制限を設ける。
【００３９】
なお、本実施の形態でいう所定値とは、見た目に明らかに違和感を感じる程度の輝度値の差が設定されるものとする。
【００４０】
また、本実施の形態において、偏差△Ｙ（ｘ）を算出する場合に各エリアの輝度情報Ｙ（ｘ）と平均値Ｙｍとの差を求めたが、Ｙｍの代わりに中央部分の輝度情報Ｙ（Ｆ１１）、或いは予め設定された輝度情報を用いてもよい。
【００４１】
以上のように本実施形態では、スポット測光エリアの測光値の平均値に対して、偏差が所定値以上の大きいエリアを排除して最終的な測光データを演算することによって、被写体輝度を正確に得ることを可能にしている。
【００４２】
（第２の実施形態）
本実施の形態の動作を図９のフローチャート図を用いて説明する。第１の実施形態と同じ処理を行うステップには、図２と同じ番号が割り当てられる。
【００４３】
本実施形態が第１の実施形態と異なる点は、第１の実施形態がスポット測光エリアの平均値に対して偏差が所定値以上の大きいエリアを排除して最終的な測光データを得ているのに対して、本実施形態では、スポット測光エリアの平均値に対する偏差に応じて重み付けを変えることで最終的な測光データを得ている点である。
【００４４】
フローチャートにおいては図６におけるステップＳ１０５までの処理は同じであるので、図９のフローチャートにおけるステップＳ２０６以降の処理についての説明を行う。
【００４５】
ステップＳ２０６において、制御回路４１はそれぞれの偏差△Ｙ（ｘ）の値に応じて図１０に示すテーブルを参照して重み付け係数Ｗ（ｘ）を求める。さらに重み付け係数に従った測光エリアの重み付け加算平均値Ｙｍｗを算出する。
Ｙｍｗ＝Σ（Ｗ（ｘ）×△Ｙ（ｘ））÷Σ（Ｗ（ｘ））
ここでｘはＥ１０、Ｅ１１、Ｅ１２、Ｆ１０、Ｆ１１、Ｆ１２、Ｇ１０、Ｇ１１、Ｇ１２である。
【００４６】
これにより前述した図８のシーンでのＥ１０やＥ１２のエリアのように単純平均値からの偏差が大きいエリアほど、重み付けが下がった加算平均演算が行われる。
【００４７】
この重み付け加算平均値Ｙｍｗをスポット測光データとする。
【００４８】
以上のように本実施形態では、スポット測光エリア内の測光値の平均値に対する偏差に応じて測光エリア重み付けを変え最終的な測光データを演算することで、スポット測光を行う際に、測光エリア内に背景が入ってしまうような場合にも正確な測光を行い、被写体輝度を正確に得ることを可能にしている。
【００４９】
（第３の実施形態）
本実施の形態の動作を図１１のフローチャート図を用いて説明する。第１の実施形態と同じ処理を行うステップには、図２と同じ番号が割り当てられる。
【００５０】
本実施形態が第１の実施形態と異なる点は、第１の実施形態がスポット測光エリアの平均値に対して偏差が所定値以上の大きいエリアを排除して最終的な測光データを得ているのに対して、本実施形態では、スポット測光エリア内の測光値だけでなく、スポット測光エリアに隣接するスポット測光エリア外の測光値も参照して比較することにより、正確に主被写体部分のみのスポット測光データを得ている点である。
【００５１】
フローチャートにおいては図６におけるステップＳ１０３までの処理は同じであるので、図１１のフローチャートにおけるステップＳ３０４以降の処理についての説明を行う。
【００５２】
ステップＳ３０４にて、制御回路４１はスポット測光エリアのうち中央のＦ１１を除く各部の被写体輝度情報を中央のＦ１１と比較してその偏差を求める。
△Ｙｓ（Ｅ１０）＝Ｙ（Ｅ１０）−Ｙ（Ｆ１１）
△Ｙｓ（Ｅ１１）＝Ｙ（Ｅ１１）−Ｙ（Ｆ１１）
△Ｙｓ（Ｅ１２）＝Ｙ（Ｅ１２）−Ｙ（Ｆ１１）
△Ｙｓ（Ｆ１０）＝Ｙ（Ｆ１０）−Ｙ（Ｆ１１）
△Ｙｓ（Ｆ１２）＝Ｙ（Ｆ１２）−Ｙ（Ｆ１１）
△Ｙｓ（Ｇ１０）＝Ｙ（Ｇ１０）−Ｙ（Ｆ１１）
△Ｙｓ（Ｇ１１）＝Ｙ（Ｇ１１）−Ｙ（Ｆ１１）
△Ｙｓ（Ｇ１２）＝Ｙ（Ｇ１２）−Ｙ（Ｆ１１）
【００５３】
ステップＳ３０５において、制御回路４１は偏差△Ｙｓ（Ｅ１０）〜△Ｙｓ（Ｇ１２）のうち、第１の所定値を越えるものがあるかどうかを越えるものがあるかどうかを判定する。
【００５４】
第１の所定値を越えるものがなければ、ステップＳ３０６にて、制御回路４１は偏差△Ｙｓ（Ｅ１０）〜△Ｙｓ（Ｇ１２）からスポット測光エリアの単純平均値Ｙｍを算出する。
Ｙｍ＝（Ｙ（Ｅ１０）＋Ｙ（Ｅ１１）＋Ｙ（Ｅ１２）＋Ｙ（Ｆ１０）＋Ｙ（Ｆ１１）＋Ｙ（Ｆ１２）＋Ｙ（Ｇ１０）＋Ｙ（Ｇ１１）＋Ｙ（Ｇ１２））÷９
この単純平均値Ｙｍをスポット測光データとする。
【００５５】
また、第１の所定値を越えるものがあればステップＳ３０７にて、制御回路４１は偏差△Ｙｓ（Ｅ１０）〜△Ｙｓ（Ｇ１２）のうち、第１の所定値を越えるものについてそのエリアの隣接するスポット測光エリア外の測光値との比較を行う。例えば、偏差△Ｙｓ（Ｅ１０）が第１の所定値を越えているとするとＹ（Ｅ１０）の値を隣接するエリアであるＤ１０或いはＥ０９の第１の測光値であるＹ（Ｄ１０）の値やＹ（Ｅ０９）の値と比較してその値の差が第２の所定値以内かどうかを判別する。同様に偏差△Ｙｓ（Ｆ１０）が第１の所定値を越えているとするとＹ（Ｆ１０）の値を隣接するエリアであるＦ０９の輝度値であるＹ（Ｆ０９）の値と比較してその値の差が第２の所定値以内かどうかを判別するといったように、それぞれ隣接するスポット測光エリア外のエリアと比較していく。
【００５６】
ステップＳ３０８では、制御回路４１は偏差△Ｙｓ（Ｅ１０）〜△Ｙｓ（Ｇ１２）のうち、その値が第１の所定値を越えていて、かつ隣接するスポット測光エリア外のデータとの比較においてその差が第２の所定値以内のものは主被写体エリアではなく背景エリアである可能性が高いので、該当するエリアを排除したスポット測光エリアの平均値Ｙｍｓを算出する。第１の実施形態の場合と同様にＥ１０のエリアとＥ１２のエリアが排除すべきエリアに該当したとすれば以下の式で算出する。
Ｙｍｓ＝（Ｙ（Ｅ１１）＋Ｙ（Ｆ１０）＋Ｙ（Ｆ１１）＋Ｙ（Ｆ１２）＋  Ｙ（Ｇ１０）＋Ｙ（Ｇ１１）＋Ｙ（Ｇ１２））÷７
Ｙｍｓをスポット測光データとする。
【００５７】
なお、本実施の形態でいう第１の所定値とは、見た目に明らかに輝度差を感じる程度の値が設定されるものとする。
【００５８】
また、第２の所定値とは、見た目に大した輝度差を感じない程度の値が設定されるものとする。
【００５９】
以上のように本実施形態では、スポット測光エリア内の測光値だけでなく、スポット測光エリアに隣接するスポット測光エリア外の測光値も参照して比較し、正確に主被写体部分のみのスポット測光データを得ることで、スポット測光を行う際に、測光エリア内に背景が入ってしまうような場合にも正確な測光を行い、被写体輝度を正確に得ることを可能にしている。
【００６０】
なお、本発明において、測光用センサーの分割数、そのうちのスポット測光エリアのエリア数等は、これに限定されるものではない。
【００６１】
さらに本発明において、画面中央部のエリアを測光する一般的なスポット測光を例示したが、それよりもやや広い範囲を測光する部分測光、測距点に連動して測距点でのスポット測光を行う測距点連動型のスポット測光等に適用しても良い。
【００６２】
定常光のみならずフラッシュを発光させながらその被写体からの反射光を測光する場合に適用しても良い。
【００６３】
また、上記実施形態では撮像素子とは別に測光用センサーを設けたカメラを例にあげて説明を行ったが、測光センサーを撮像素子で兼用し、撮像素子から得られる測光値を演算して被写体輝度を求める構成のカメラに本発明を適用できることは言うまでもないであろう。
【００６４】
また、静止画を画像信号として記録する場合のみならず、被写体の動きを表示手段にて観察可能とするために、撮影待機時に撮像素子の出力を画像信号として表示手段にて逐次表示する場合や、動画信号を生成して記録する場合であっても本発明を適用することは可能である。
【図面の簡単な説明】
【００６５】
【図１】本発明を実施したカメラと交換レンズ及びフラッシュ装置の断面図である。
【図２】焦点検出用センサーの構成例を表わす図である。
【図３】測光用センサーの構成例を表わす図である。
【図４】測光エリアを説明する図である。
【図５】カメラと交換レンズ及びフラッシュ装置の電気回路の構成例を表すブロック図である。
【図６】第１の実施例における制御回路の演算フローチャートである。
【図７】スポット測光エリアを表す図である。
【図８】逆光シーンの例を表す図である。
【図９】第２の実施例における制御回路の演算フローチャートである。
【図１０】第２の実施例における重み付け係数を示す図である。
【図１１】第３の実施例における制御回路の演算フローチャートである。
【図１２】従来のスポット測光エリアを表す図である。
【符号の説明】
【００６６】
１  カメラ本体
２  交換レンズ
３  フラッシュ装置
１０  メカニカルシャッター
１１  ロウパスフィルター
１２  撮像素子
１３  主ミラー
１４  第１の反射ミラー
１５  近軸的結像面
１６  第２の反射ミラー
１７  赤外カットフィルター
１８  絞り（開口部２つ）
１９  ２次結像レンズ
２０  焦点検出用センサー
２１  ピント板
２２  ペンタプリズム
２３  接眼レンズ
２４  第３の反射ミラー
２５  集光レンズ
２６  測光用センサー
２７  マウント部（カメラ側）
２８  レンズ接点部
２９  フラッシュ装置接続部（カメラ側）
３０  光学レンズ
３１  絞り
３２  カメラ接点部
３３  マウント部（レンズ側）
３４  キセノン管
３５  反射笠
３６  フレネル板
３７  モニターセンサー
３８  フラッシュ装置接続部（フラッシュ側）
４１  カメラ制御回路
４２  シャッター駆動部
４３  信号処理回路
４４  記録媒体
４５  第１のモーター
４６  第１のモータードライバ
４７  表示器
４８  ホワイトバランス設定回路
４９  撮影モード設定回路
５０  レリーズスイッチ
５１  レンズ制御回路
５２  第２のモーター
５３  第２のモータードライバ
５４  第３のモーター
５５  第３のモータードライバ
５６  距離エンコーダー
５７  ズームエンコーダー
６１  フラッシュ装置制御回路
６２  昇圧部
６３  照射角調整部
６４  照射角検出部
【図１】
2006119454.tif 000003
【図２】
2006119454.tif 000004
【図３】
2006119454.tif 000005
【図４】
2006119454.tif 000006
【図５】
2006119454.tif 000007
【図６】
2006119454.tif 000008
【図７】
2006119454.tif 000009
【図８】
2006119454.tif 000010
【図９】
2006119454.tif 000011
【図１０】
2006119454.tif 000012
【図１１】
2006119454.tif 000013
【図１２】
2006119454.tif 000014